(57)【要約】【課題】１・１／２遮断器構成及び環状母線方式の母線構成を持つ電気所において、引出回線の回線区分用断路器を設置する際、保守手数の軽減化及び据付面積の縮小化を図ることにより、コスト面で優れた複合型ガス絶縁開閉装置を提供する。【解決手段】１・１／２遮断器方式もしくは環状母線方式を特徴をする母線構成を持つ電気所において、２つの遮断器点検用の断路装置８と１つの回線区分用断路装置１０からなる複合型ガス開閉装置１３を適用し、１つの遮断装置９と１つの遮断器点検用の断路装置８からなる複合型ガス絶縁開閉装置１２、及び単独のガス絶縁遮断器１１を組み合わせて配置することにより構成する。【選択図】　図１
2004120945.tif 000002
【特許請求の範囲】
【請求項１】
絶縁物の容器内に絶縁性ガスを充填すると共に固定電極及び可動電極からなる接点を配置して形成された開閉装置を少なくとも２つ備え、前記開閉装置を同一の金属容器に接続し、さらに前記金属容器を支持絶縁物により保持する構成とした複合型ガス絶縁開閉装置において、
２重化された母線配置とし、各母線間に３つの遮断器を配置し、さらに各遮断器の両側に点検用の断路器を配置し、各遮断器間よりそれぞれ引出回線を配置し、この引出回線に回線区分用の断路器を配置した１・１／２遮断器方式の母線構成を持つ変電所及び開閉所等の電気所に適用し、
前記開閉装置は断路器接点のみを収納して前記遮断器点検用の断路器及び前記回線区分用の断路器を複合化したことを特徴とする複合型ガス絶縁開閉装置。
【請求項２】
絶縁物の容器内に絶縁性ガスを充填すると共に固定電極及び可動電極からなる接点を配置して形成された開閉装置を少なくとも２つ備え、前記開閉装置を同一の金属容器に接続し、さらに前記金属容器を支持絶縁物により保持する構成とした複合型ガス絶縁開閉装置において、
遮断器及び各遮断器に対して少なくとも１つの点検用の断路器を配置し、前記遮断器及び前記断路器を環状に接続し、各遮断器間より引出回線を配置し、この引出回線に回線区分用の断路器を配置した環状母線方式の母線構成を持つ変電所及び開閉所等の電気所に適用し、
前記開閉装置は断路器接点のみを収納して前記遮断器点検用の断路器及び前記回線区分用の断路器を複合化したことを特徴とする複合型ガス絶縁開閉装置。
【請求項３】
前記金属容器に外部導体を接続するための金属端子を設け、この金属端子より変成器を接続したことを特徴とする請求項１または２に記載の複合型ガス絶縁開閉装置。
【発明の詳細な説明】
【０００１】
【発明の属する技術分野】
本発明は、絶縁物からなる容器内に絶縁性ガスを充填し、多数のスイッチ類を設置した電力用ガス絶縁開閉装置に係り、特に、断路器接点のみにより構成される複合型ガス絶縁開閉装置を変電所及び開閉所等の電気所へ適用した技術に関するものである。
【０００２】
【従来の技術】
一般的に、ガス絶縁開閉装置の母線構成には様々な方式が知られている。具体的には、図６に示した１・１／２遮断器方式や、図７に示した環状母線方式がある。１・１／２遮断器方式では、２重化された第１主母線１及び第２主母線２が配置されている。両母線１，２間には連絡用の遮断器４が３台配置されて繋がれている。また、各遮断器４の両側には遮断器点検用の断路器３が配置されている。さらに、各遮断器４間より前記断路器３を介して引出回線６が配置されると共に、回線区分用断路器５及び変成器７が配置されている。一方、環状母線方式では、連絡用の遮断器４が環状に配置され、各遮断器４には遮断器点検用の断路器３が両側に配置されている。また、各遮断器４間より前記断路器３を介して引出回線６が配置されると共に、回線区分用断路器５及び変成器７が配置されている。
【０００３】
ところで従来より、複数の開閉装置を複合化した複合型ガス絶縁開閉装置が提案されている。この複合型ガス絶縁開閉装置の従来例について、図８を用いて説明する。すなわち、複合型ガス絶縁開閉装置１２には遮断装置９及び遮断器点検用の断路装置８が同一の金属容器１４に接続されている。遮断装置９及び断路装置８はいずれも、磁器碍管もしくは複合碍管等の絶縁物の容器内にＳＦ６ガス等の絶縁性ガスが充填され、固定電極及び可動電極からなる接点を配置して形成されている。また、金属容器１４は磁器碍管もしくは複合碍管等の支持絶縁物１８によって保持されている。さらに、遮断装置９及び断路装置８において、各可動電極側接点には接点を駆動するための絶縁物１９及びリンク２０が機械的に接続されている。
【０００４】
このような複合型ガス絶縁開閉装置１２を、前述した１・１／２遮断器方式や環状母線方式に適用した場合、次のような構成となる。まず、１・１／２遮断器方式への適用例を図９に示す。この場合、第１主母線１と第２主母線２との間の連絡は複合型ガス絶縁開閉装置１２が３つ配置される。一方、環状母線方式へ適用した場合には図１０に示すように、複合型ガス絶縁開閉装置１２が環状に配置される。なお、引出回線を配置する場合、回線区分用断路器が必要となるが、遮断装置もしくは断路装置の先に、もう１つの断路器を配置することになるので、いずれの方式でも回線区分用断路器として従来の気中絶縁方式の断路器１７が単独で配置されている。
【０００５】
【発明が解決しようとする課題】
上述したように、１・１／２遮断器方式及び環状母線方式に複合型ガス絶縁開閉装置を適用する際、引出回線には気中絶縁方式の断路器１７を単独で設置している。しかし、気中絶縁方式の断路器１７には次のような問題点があった。すなわち、気中絶縁方式の断路器１７では接点が気中に露出されているので汚損、腐食や劣化が発生し易く、絶縁性ガスにより絶縁された接点を適用した断路装置に比べて、機器の保守手数が増加した。また、断路器１７を単独で設置する分、電気所の据付面積が増大した。この結果、メンテナンスや用地取得に費用がかかることになり、電気所のコストが高騰した。
【０００６】
本発明は、かかる従来の事情に対処するために提案されたものであり、その目的は、１・１／２遮断器構成及び環状母線方式の母線構成を持つ電気所において、引出回線の回線区分用断路器を設置する際、保守手数の軽減化及び据付面積の縮小化を図ることにより、コスト面で優れた複合型ガス絶縁開閉装置を提供することにある。
【０００７】
【課題を解決するための手段】
上記目的を達成するために、本発明は、絶縁物の容器内に絶縁性ガスを充填すると共に固定電極及び可動電極からなる接点を配置して形成された開閉装置を少なくとも２つ備え、前記開閉装置を同一の金属容器に接続し、さらに前記金属容器を支持絶縁物により保持する構成とした複合型ガス絶縁開閉装置において、次のような技術的な特徴を有している。
【０００８】
請求項１の発明は、２重化された母線配置とし、各母線間に３つの遮断器を配置し、さらに各遮断器の両側に点検用の断路器を配置し、各遮断器間よりそれぞれ引出回線を配置し、この引出回線に回線区分用の断路器を配置した１・１／２遮断器方式の母線構成を持つ変電所及び開閉所等の電気所に適用し、前記開閉装置は断路器接点のみを収納して前記遮断器点検用の断路器及び前記回線区分用の断路器を複合化したことを特徴としている。
このような請求項１の発明によれば、１・１／２遮断器方式の母線構成を持つ電気所において、遮断器点検用の断路器及び回線区分用の断路器を複合化したことで、回線区分用断路器についても絶縁性ガスにより絶縁された断路装置を適用することが可能となる。したがって、気中絶縁方式の断路装置を適用した場合に比べて、環境条件による汚損及び劣化を考慮する必要がなくなり、保守手数を軽減することができる。また、断路器の複合化によって電気所の据付面積を縮小化することが可能である。
【０００９】
請求項２の発明は、遮断器及び各遮断器に対して少なくとも１つの点検用の断路器を配置し、前記遮断器及び前記断路器を環状に接続し、各遮断器間より引出回線を配置し、この引出回線に回線区分用の断路器を配置した環状母線方式の母線構成を持つ変電所及び開閉所等の電気所に適用し、前記開閉装置は断路器接点のみを収納して前記遮断器点検用の断路器及び前記回線区分用の断路器を複合化したことを特徴としている。
このような請求項２の発明によれば、環状母線方式の母線構成を持つ電気所において、遮断器点検用の断路器及び回線区分用の断路器を複合化したことで、回線区分用断路器についても絶縁性ガスにより絶縁された断路装置を適用することが可能となる。したがって、前記請求項１の発明と同じく、保守手数の軽減化及び据付面積の縮小化を進めることができる。
【００１０】
請求項３の発明は、請求項１または２に記載の複合型ガス絶縁開閉装置において、前記金属容器に外部導体を接続するための金属端子を設け、この金属端子より変成器を接続したことを特徴としている。
このような請求項３の発明によれば、複合型ガス絶縁開閉装置の隣接部に変成器を配置することが可能となり、電気所据付面積をいっそう縮小化することができる。
【００１１】
【発明の実施の形態】
以下、本発明に係る実施の形態（以下、実施形態）の一例について、図面を参照して具体的に説明する。なお、図６〜図１０に示した従来例と同一の部材に関しては同一符号を付して説明は省略する。
【００１２】
（１）第１の実施形態…請求項１の発明に対応／図１及び図２参照
［構成］
図１及び図２に示すように、第１の実施形態では、１・１／２遮断器方式の母線構成を持つ変電所及び開閉所等の電気所において、２つの遮断器点検用の断路装置８と、１つの回線区分用断路装置１０を複合化した複合型ガス絶縁開閉装置１３が適用されている。この複合型ガス絶縁開閉装置１３は図８にて示した複合型ガス絶縁開閉装置１２（遮断装置９及び遮断器点検用の断路装置８からなる）に接続されている。また、複合型ガス絶縁開閉装置１３間には単独のガス絶縁遮断器１１が配置される。すなわち、１・１／２遮断器方式の母線構成を持つ電気所は複合型ガス開閉装置１２，１３と、単独のガス絶縁遮断器１１とを組み合わせて配置することにより構成されている。
【００１３】
［作用効果］
以上のような第１の実施形態の作用効果は次の通りである。第１の実施形態においては、引出回線の回線区分用の断路器についても絶縁性ガスによって絶縁された接点を持つ断路装置１０を適用することにより、当回線方式における全ての遮断装置、断路装置の接点に絶縁性ガスによって絶縁された接点を適用することが可能となる。このため、環境による接点の汚損、腐食及び劣化の影響をなくすことができ、保守手数を軽減してメンテナンス費用の削減を図ることができる。また、引出回線の断路装置１０を遮断器点検用の断路装置８と同一の金属容器に接続することにより、据付面積を縮小化することができ。この点でも経済的に有利となる。
【００１４】
（２）第２の実施形態…請求項２の発明に対応／図３及び図４参照
［構成］
続いて、第２の実施形態について図３及び図４を用いて説明する。第２の実施形態では、環状母線方式の母線構成を持つ変電所及び開閉所等の電気所において、単独のガス絶縁遮断器１１と、２つの遮断器点検用の断路装置８と１つの回線区分用断路装置１０からなる複合型ガス開閉装置１３とを組み合わせて配置されている。つまり、環状母線方式の母線構成を持つ電気所は、複合型ガス開閉装置１３と、単独のガス絶縁遮断器１１とを組み合わせて配置することにより構成されている。
【００１５】
［作用効果］
このような構成を有する第２の実施形態では、上記第１の実施形態と同様、引出回線の回線区分用の断路器についても絶縁性ガスによって絶縁された接点を持つ断路装置１０を適用することで、当回線方式における全ての遮断装置、断路装置の接点に絶縁性ガスによって絶縁された接点を適用することが可能となる。したがって、環境による接点劣化を回避でき、保守手数の軽減化及び据付面積の縮小化を図ることができる。
【００１６】
（３）第３の実施形態…請求項３の発明に対応／図５（ａ），（ｂ）参照
［構成］
第３の実施形態は、図５（ａ），（ｂ）に示すように、上記第１または第２の実施形態において、引出回線６に適用される２つの遮断器点検用の断路装置８及び回線区分用の断路装置１０の接続された金属容器１４に、外部導体を接続するための金属端子１６を設け、この金属端子１６より変成器７を接続したものである。変成器７は前記金属端子１６より接続された接続導体２１を介して金属容器１４に接続されている。
【００１７】
［作用効果］
このような第３の実施形態によれば、回線区分用の断路装置１０が遮断器点検用の断路装置８と同一金属容器１４に接続された場合においても変成器７を配置することが可能となり、しかも金属容器１４と変成器７とは同電位及び同位相のため、複合型ガス絶縁開閉装置１３の隣接部に変成器７を配置することができ．。これにより、電気所据付面積のさらなる縮小化を図ることができる。
【００１８】
【発明の効果】
以上で詳述したように、本発明によれば、１・１／２遮断器構成及び環状母線方式の母線構成をもつ電気所において、引出回線の回線区分用断路器が設置される場合に、保守手数の軽減化及び据付面積の縮小化を図ることが可能となり、コスト面で優れた複合型ガス絶縁開閉装置を提供することができる。
【図面の簡単な説明】
【図１】本発明に係る第１の実施形態の構成図。
【図２】第１の実施形態の単線結線図。
【図３】本発明に係る第２の実施形態の構成図。
【図４】第２の実施形態の単線結線図。
【図５】本発明に係る第３の実施形態の構成図で、（ａ）は正面図、（ｂ）は側面図。
【図６】従来の１・１／２遮断器方式のガス絶縁開閉装置の単線結線図。
【図７】従来の環状母線方式のガス絶縁開閉装置の単線結線図。
【図８】従来の複合型ガス絶縁開閉装置の正面断面図
【図９】１・１／２遮断器方式を採用した複合型ガス絶縁開閉装置の従来例の単線結線図。
【図１０】環状母線方式を採用した複合型ガス絶縁開閉装置の従来例の単線結線図。
【符号の説明】
１…第１主母線
２…第２主母線
３，５，１７…断路器
４，１１…遮断器
６…引出回線
７…変成器
８，１０…断路装置
９…遮断装置
１２、１３…複合型ガス絶縁開閉装置
１４…金属容器
１５…支持碍子
１６…金属端子
１８…支持絶縁物
１９…絶縁物
２０…リンク
２１…接続導体
【図１】
2004120945.tif 000003
【図２】
2004120945.tif 000004
【図３】
2004120945.tif 000005
【図４】
2004120945.tif 000006
【図５】
2004120945.tif 000007
【図６】
2004120945.tif 000008
【図７】
2004120945.tif 000009
【図８】
2004120945.tif 000010
【図９】
2004120945.tif 000011
【図１０】
2004120945.tif 000012